(57)【特許請求の範囲】
【請求項１】
プラグを把持するプラグボディに設けられた栓刃が挿入される差込口を有する挿入面と前記差込口を介して挿入された前記栓刃を受ける刃受部とを有するコンセントブロックを有するコンセント本体と、
前記コンセント本体に設けられるとともに、前記挿入面の前記プラグが挿入される表面側から前記差込口を覆う閉位置にする動作及び前記差込口から離間することにより開位置にする動作を行うカバーと、
前記カバーを前記閉位置に向かい付勢する付勢手段とを備えるコンセントであって、
前記カバー及び前記コンセント本体の少なくともどちらか一方には、前記カバーが前記コンセント本体に接続することにより前記開位置が維持される開位置保持部が設けられるとともに、
前記カバーには、前記開位置の維持が解除されたときに、前記プラグボディの一部と当接して前記刃受部が前記栓刃を把持した状態を保持固定する固定部が設けられる
ことを特徴とするコンセント。
【請求項２】
請求項１に記載のコンセントにおいて、
前記開位置保持部は、前記カバー及び前記コンセント本体の一方に爪部が設けられ、前記カバー及び前記コンセント本体の他方に係合孔が設けられ、
前記爪部が前記係合孔に係合することにより、前記開位置が維持される
ことを特徴とするコンセント。
【請求項３】
請求項２に記載のコンセントにおいて、
前記爪部には、この爪部を補強するリブが設けられる
ことを特徴とするコンセント。
【請求項４】
請求項１に記載のコンセントにおいて、
前記開位置保持部は、前記カバー及び前記コンセント本体の一方に磁石が設けられ、前記カバー及び前記コンセント本体の他方に前記磁石に吸引される磁性体が設けられることにより構成される
ことを特徴とするコンセント。
【発明の詳細な説明】
【技術分野】
【０００１】
本発明は、プラグの栓刃が挿入される差込口を開閉する動作を行う扉体を備えるコンセントに関する。
【背景技術】
【０００２】
従来からコンセントには、差込口に埃の堆積を防止することを目的として、差込口を覆う開閉可能な扉体（カバー）を備えたものが知られている（例えば、特許文献１参照）。このようなコンセントでは、プラグを差込口に挿入する際には、扉体を手動で開けて差込口を露出した状態（開状態）とし、コンセントの不使用時には、差込口を覆うように扉体を閉める状態（閉状態）としている。特にプラグを差込口から抜き去った後には、扉体はその自重にて閉状態となるように移動する。
【先行技術文献】
【特許文献】
【０００３】
【特許文献１】特開平１１−１８５８６１号公報
【発明の概要】
【発明が解決しようとする課題】
【０００４】
ところで、このような扉体を有するコンセントでは、プラグをコンセントに接続する際、使用者が開状態から扉体を保持しなければ扉体の自重により扉体は閉状態となる動作をしてしまう。これにより、扉体とプラグとが干渉してしまうため、プラグをコンセントに接続し難い。その干渉を避けるため、使用者が片手で扉体を保持し、もう一方の片手でプラグを差込口に挿入しなければならない。しかしながら、このような方法は、使用者がプラグをコンセントに接続する間に亘り扉体を保持しなければならないため、プラグをコンセントに挿入する作業が煩雑であった。
【０００５】
本発明は、上記実情に鑑みてなされたものであり、その目的とするところは、プラグを容易に接続することのできるコンセントを提供することにある。
【課題を解決するための手段】
【０００６】
以下、上記目的を達成するための手段及びその作用効果について記載する。
（１）請求項１に記載の発明は、プラグを把持するプラグボディに設けられた栓刃が挿入される差込口を有する挿入面と前記差込口を介して挿入された前記栓刃を受ける刃受部とを有するコンセントブロックを有するコンセント本体と、前記コンセント本体に設けられるとともに、前記挿入面の前記プラグが挿入される表面側から前記差込口を覆う閉位置にする動作及び前記差込口から離間することにより開位置にする動作を行うカバーと、前記カバーを前記閉位置に向かい付勢する付勢手段とを備えるコンセントであって、前記カバー及び前記コンセント本体の少なくともどちらか一方には、前記カバーが前記コンセント本体に接続することにより前記開位置が維持される開位置保持部が設けられるとともに、前記カバーには、前記開位置の維持が解除されたときに、前記プラグボディの一部と当接して前記刃受部が前記栓刃を把持した状態を保持固定する固定部が設けられることを要旨とする。
【０００７】
この発明によれば、開位置保持部によってカバーを開位置に維持することができるため、付勢手段によってカバーが開位置から閉位置に動作することを防ぐことができる。したがって、プラグをコンセントに接続するときにカバーがプラグに干渉することを回避することができる。その上、使用者はプラグをコンセントに接続する間に亘りカバーを保持する必要がなくなる。したがって、コンセントにプラグを容易に接続することができる。
また、この発明によれば、固定部により刃受部が栓刃を把持した状態を保持固定するため、コンセントに対してプラグが抜ける方向に力が加わったとしても、コンセントに対してプラグが抜けることを抑制することができる。
【０００８】
（２）請求項２に記載の発明は、請求項１に記載のコンセントにおいて、前記開位置保持部は、前記カバー及び前記コンセント本体の一方に爪部が設けられ、前記カバー及び前記コンセント本体の他方に係合孔が設けられ、前記爪部が前記係合孔に係合することにより、前記開位置が維持されることを要旨とする。この発明によれば、爪部と係合孔と係合による簡単な構成によって開位置保持部を構成することができる。
【０００９】
（３）請求項３に記載の発明は、請求項２に記載のコンセントにおいて、前記爪部には、この爪部を補強するリブが設けられることを要旨とする。
この発明によれば、爪部にリブが設けられることによって爪部が補強されるため、爪部が係合孔と係合を繰り返しても爪部が折れる等の破損を抑制することができる。
【００１０】
（４）請求項４に記載の発明は、請求項１に記載のコンセントにおいて、前記開位置保持部は、前記カバー及び前記コンセント本体の一方に磁石が設けられ、前記カバー及び前記コンセント本体の他方に前記磁石に吸引される磁性体が設けられることにより構成されることを要旨とする。
【００１１】
この発明によれば、磁石と磁性体とにより開位置保持部を構成するため、爪部と係合孔との係合による開位置保持部と比較して、カバーの開位置の保持の繰り返しの回数を増大してもカバーの開位置を保持する機能を維持することができる。
【発明の効果】
【００１４】
本発明によれば、プラグを容易に接続することのできるコンセントを提供することができる。
【図面の簡単な説明】
【００１５】
【図１】本発明のコンセントを具体化した一実施形態について、コンセントの分解斜視構造を示す斜視図。
【図２】同実施形態の扉体について、（ａ）扉体を上方から見た斜視構造を示す斜視図、（ｂ）扉体を下方から見た斜視構造を示す斜視図、（ｃ）（ａ）の断面線Ａ−Ａにて切った断面構造を示す断面図。
【図３】同実施形態のコンセントについて、（ａ）コンセントの断面構造を示す断面図、（ｂ）コンセントを下方から見た斜視構造を示す斜視図。
【図４】同実施形態のコンセントの扉体の仮固定について、（ａ）〜（ｃ）扉体をボディに仮固定する様子の断面構造を示す模式図、（ｄ）〜（ｆ）仮固定を解除する様子の断面構造を示す模式図。
【図５】同実施形態のコンセントにプラグを接続する態様について、（ａ）開状態においてプラグを挿入した状態の断面構造を示す模式図、（ｂ）プラグの抜け止めを行った状態の断面構造を示す模式図。
【図６】同実施形態のコンセントからプラグを抜き去る態様について、（ａ）抜け止めを外す様子の断面構造を示す模式図、（ｂ）プラグが抜き去られた後の扉体の態様の断面構造を示す模式図。
【図７】本発明のコンセントを具体化したその他の実施形態について、（ａ）コンセントを下方から見た斜視構造を示す斜視図、（ｂ）扉体とボディとの仮固定した状態の側面構造を拡大して示す平面図。
【図８】本発明のコンセントを具体化したその他の実施形態について、コンセントを下方から見た斜視構造を示す斜視図。
【図９】本発明のコンセントを具体化したその他の実施形態について、（ａ）扉体が閉状態におけるコンセントを下方から見た斜視構造を示す斜視図、（ｂ）扉体が開状態におけるコンセントを下方から見た斜視構造を示す斜視図。
【発明を実施するための形態】
【００１６】
図１〜図６を参照して、本発明のコンセントを家屋の屋外の壁面に設けられる防水コンセントとして具体化した一実施形態について説明する。
図１に示すように、防水コンセント（以下、「コンセントＡ」）は、プラグＢの栓刃５１（図５参照）が挿入される差込口４０（図３参照）が設けられたコンセント本体１Ａと、このコンセント本体１Ａに設けられるとともに差込口４０の開閉動作を行う扉開閉機構１Ｂとにより構成されている。
【００１７】
以降では、壁面の表側及び裏側を規定する方向を「前後方向Ｘ」とし、鉛直方向に沿う方向を「上下方向Ｚ」とし、前後方向及び上下方向の両方に直交する方向を「左右方向Ｙ」とする。また前後方向Ｘにおいて、壁面の表側に向かう方向を「前方」とし、壁面の裏側に向かう方向を「後方」とする。
【００１８】
コンセント本体１Ａには、電線が接続されるとともに、プラグＢが接続されることによりプラグＢに電線からの電力を供給するコンセントブロック２と、このコンセントブロック２を内部に収納するとともに保持するボディ３とが設けられている。このボディ３の後方には、壁面と前後方向Ｘの間に配置される防水パッキン（以下、「パッキン４」）が取り付けられている。ボディ３及びパッキン４の両方は、壁面に配置された取付枠５にねじ部材ＳＣ１によって固定されている。コンセントブロック２は、ねじ部材ＳＣ２によってボディ３に固定されている。またボディ３の前方の面である前面には、化粧カバー６が取り付けられている。これにより上記前面は化粧カバー６により覆われるようになる。
【００１９】
ボディ３には、矩形状の枠体である本体部２０と、本体部２０の上方から前方に向かい突出する保持部２１とが設けられている。この保持部２１には、コンセントブロック２が収納されている。またボディ３の左右方向Ｙの中央部における上端部及び下端部には、ねじ部材ＳＣ１を挿通するための貫通孔２２が設けられている。下方の貫通孔２２には、ねじ部材ＳＣ１を覆うカバー体２３が取り付けられている。
【００２０】
扉開閉機構１Ｂには、差込口４０の開閉動作を行う扉体７と、この扉体７に取り付けられるシャフト８と、シャフト８を収納するとともに保持する軸ボディ９とが設けられている。この軸ボディ９は、ねじ部材ＳＣ３によりボディ３に取り付けられている。またシャフト８には、扉体７を差込口４０に向かい付勢する付勢手段であるつるまきばね（以下、「ばね１０」）が取り付けられている。また扉体７は樹脂材料を射出成形することにより成形されている。
【００２１】
扉開閉機構１Ｂは、軸ボディ９に設けられたシャフト挿通孔９ａにシャフト８を挿入し、シャフト８のシャフト挿通孔９ａよりも左右方向Ｙの両側にばね１０を取り付けた状態において、ばね１０よりも左右方向Ｙの両側のシャフト８の部位に扉体７を取り付ける。これにより、シャフト８を回転軸として、扉体７は回転するようになる。即ち扉体７の上記開閉動作はシャフト８を中心とした回転によって行われる。
【００２２】
図２（ａ）に示すように、扉体７には、平板状に形成される基部３０が設けられている。基部３０には、その中央部に表面３０ａから下方に向かい凹む凹部３１が設けられ、その後方の端部にシャフト８（図１参照）を挿通する一対のシャフト挿通部３２が設けられ、その左右方向Ｙの中央且つ前方の端部に下方に向かい湾曲状に凹む湾曲凹部３３が設けられている。この凹部３１の前後方向Ｘの中央位置には、凹部３１の底面３４から上方に向かい延びる隔壁３５が設けられている。
【００２３】
図２（ｂ）に示すように、基部３０の下面３６における凹部３１の左右方向Ｙの両側には、この下面３６から下方に延びる一対の爪部３７が基部３０と連続して設けられている。即ち、基部３０と一対の爪部３７とは単一部材として構成されている。各爪部３７には、左右方向Ｙ及び上下方向Ｚに沿って延びる平板状の本体部３８が設けられている。この本体部３８には、その下端部に本体部３８より後方に突出する曲面形状の係合部３８ａが設けられ、その左右方向Ｙの両側に前方に向かうにつれて上方に傾斜する略三角形状の一対のリブ３８ｂが設けられている。このリブ３８ｂは、本体部３８の上下方向Ｚの中央位置から下面３６までの上下方向Ｚに亘り接続されている。
【００２４】
図２（ｃ）に示すように、各爪部３７は、凹部３１よりも下方に突出するように設けられている。特に係合部３８ａは、凹部３１の下面３６ａよりも下方となるように設けられている。
【００２５】
図３（ａ）に示すように、コンセントブロック２には、差込口４０が形成される底面４１を有する凹部４２が設けられている。これにより、プラグＢをコンセントＡに挿入する際に、栓刃５１と使用者の指とが接触した状態にて栓刃５１と刃受部４３とを接続することを抑制することができる。また凹部４２は、下方に向かい開口するとともに後方に傾斜するにつれて下方に傾斜するように配置されている。これにより、差込口４０は下方に向かい開口することとなる。
【００２６】
また凹部４２により、差込口４０は、この差込口４０をコンセントＡの外部に露出するために保持部２１に設けられた貫通孔である開口部２５よりもコンセントＡの内部に設けられるようになる。これにより、底面が開口部２５と同位置もしくは開口部２５よりコンセントＡの外部に設けられる構成と比較して、底面４１の差込口４０に水が侵入することを抑制することができる。したがって、上記構成と比較して、コンセントＡの防水性能を向上させることができる。
【００２７】
コンセントブロック２の内部には、電線と接続するとともにプラグＢの栓刃５１（図５参照）を受ける刃受部４３が設けられている。栓刃５１が刃受部４３と接続することにより、電線からの電力がプラグＢに供給されるようになる。
【００２８】
ここで、コンセントＡは、扉体７が化粧カバー６の下端面６ａと当接した状態を「閉状態」（実線の扉体７）としている。またこの状態における扉体７の位置を「閉位置」とする。この閉状態において、ばね１０（図１参照）により、基部３０は上記下端面６ａを常に押圧した状態にて維持されるようになる。また下端面６ａは、コンセントブロック２の底面４１と平行となるように形成されている。
【００２９】
シャフト８は開口部２５付近に設けられ、扉体７は閉状態から下方に向かい回転可能となる。そして図中の二点鎖線にて示すように、扉体７が化粧カバー６の下端面６ａに対して離間した状態を「開状態」としている。またこの状態における扉体７の位置を「開位置」とする。以降では、扉体７が閉位置から開位置または開位置から閉位値に向かい動作する方向を「開閉動作方向Ｗ」とする。この開閉動作方向Ｗは、ばね１０の付勢方向に対応している。そして開閉動作方向Ｗにおいて、閉位置に向かう方向を「閉方向」とし、開位置に向かう方向を「開方向」とする。
【００３０】
図３（ｂ）に示すように、化粧カバー６の下端面６ａは、凹部４２を外側から囲うように形成されている。そして閉状態において、扉体７は差込口４０（底面４１）の全体を下方から覆うようになる。また凹部４２は、差込口４０と対応した箇所に位置するようになる。また基部３０は下端面６ａの全周に亘り当接するようになる。したがって、基部が下端面６ａと当接しない構成または基部が下端面６ａと一部のみが当接する構成と比較して、扉体７と化粧カバー６との間からコンセントＡの内部に水が侵入することを抑制することができる。特にばね１０により閉状態においても基部３０が下端面６ａに対して付勢された状態であるため、基部３０と下端面６ａとの間に形成される隙間を低減することができる。したがって、扉体７と化粧カバー６との間からコンセントＡの内部への水の侵入を抑制する効果をより一層向上することができる。
【００３１】
また基部３０は、下端面６ａの略全周に亘り、この下端面６ａよりも前方及び左右方向Ｙに向かい突出している。また化粧カバー６よりも湾曲凹部３３は前方に突出している。
ボディ３の本体部２０の下方には、左右方向Ｙの両側に一対の係合孔２４が設けられている。この係合孔２４には、扉体７が開方向に移動したときに一対の爪部３７がそれぞれ係合するようになる。これにより、扉体７はボディ３に仮固定されるようになる。また仮固定されたときの扉体７の位置を「仮固定位置」とする（図３（ａ）参照）。
【００３２】
図４を参照して、爪部３７と係合孔２４の係合について説明する。
図４（ａ）に示すように、扉体７を開方向に移動させると爪部３７の係合部３８ａが係合孔２４の前方の周縁（以下、「前方周縁２４ａ」）に当接する。これにより爪部３７は下方に向かい弾性変形するようになる。そしてこの状態において扉体７をさらに開方向に移動させると図４（ｂ）に示すように、係合部３８ａの前後方向Ｘの中央部と係合孔２４の内面２４ｂとが当接する。これにより爪部３７は下方に向かいさらに弾性変形するようになる。そしてこの状態において扉体７をさらに開方向に移動させると図４（ｃ）に示すように、係合部３８ａが係合孔２４よりも後方に位置するようになる。このとき復元力の作用により爪部３７は上方に変位する。そして係合部３８ａと係合孔２４の後方の周縁（以下、「後方周縁２４ｃ」）とが前後方向Ｘにおいて重なる、即ち係合部３８ａと係合孔２４とが係合するようになる。これにより扉体７（図３参照）は仮固定位置に位置するようになる。以上により、扉体７は仮固定されるようになる。
【００３３】
また仮固定位置から扉体７を閉方向に移動させると、図４（ｄ）に示すように、係合部３８ａは後方周縁２４ｃと当接するようになる。これにより爪部３７は下方に向かい弾性変形するようになる。そしてこの状態において扉体７をさらに閉方向に移動させると図４（ｅ）に示すように、係合部３８ａの前後方向Ｘの中央部と係合孔２４の内面２４ｂとが当接する。これにより爪部３７は下方に向かいさらに弾性変形するようになる。そしてこの状態において扉体７をさらに閉方向に移動させると図４（ｆ）に示すように、係合部３８ａが係合孔２４の前方周縁２４ａよりも開方向に移動するようになる。これにより扉体７の仮固定が解除されるようになる。
【００３４】
図５及び図６を参照して、コンセントＡにプラグＢを接続する態様及びコンセントＡからプラグＢを抜き去る態様のそれぞれについて説明する。
図５に示すように、プラグＢには、プラグＢを把持するプラグボディ５０とプラグボディ５０から突出するように設けられた栓刃５１と、プラグボディ５０の栓刃５１とは反対側に設けられたケーブル５２とが設けられている。プラグボディ５０には、突起部５３が設けられている。栓刃５１は、一対の電源用ピンと一つの接地用ピンとにより構成されている。
【００３５】
図５（ａ）に示すように、使用者は手（指）を扉体７の湾曲凹部３３に引っ掛けることにより、扉体７を開方向に回転させて扉体７をボディ３に仮固定する。この状態において、プラグＢを栓刃挿入方向Ｖに移動させてコンセントブロック２に接続することにより、プラグＢをコンセントＡに接続する。即ちプラグＢの栓刃５１がコンセントブロック２の刃受部４３に挟持された状態となる。またこの状態において、突起部５３は開閉動作方向Ｗにおいて凹部３１と対向している。
【００３６】
この状態において、図５（ｂ）に示すように、扉体７のボディ３への仮固定を解除するように、使用者は扉体７を閉方向に移動させる。そして上記仮固定が解除した後に、扉体７は閉方向に向かい回転するとともに、プラグボディ５０と隔壁３５の頂面３５ａとが当接し、隔壁３５と突起部５３の保持面５３ａとが当接するようになる。これにより、プラグＢのコンセントＡへの接続が完了する。またこの状態において、隔壁３５及び保持面５３ａは栓刃挿入方向Ｖに対して直交する平面をそれぞれ有し、それら平面が互いに面接触している。これにより、刃受部４３が栓刃５１を挟持した状態を保持固定している。
【００３７】
ここで、ケーブル５２を引っ掛ける等により不用意にプラグＢがコンセントＡに対して抜けようとする場合、保持面５３ａが隔壁３５と栓刃挿入方向Ｖに対して当接するため、プラグＢがコンセントＡから抜けることが抑制される。特にこの状態において、隔壁３５及び保持面５３ａがそれぞれ栓刃挿入方向Ｖに対して略垂直なるように形成され、且つ保持面５３ａが隔壁３５に面接触することにより、隔壁３５がプラグＢの抜去方向の力を正面から受けることとなる。
【００３８】
またプラグボディ５０の凹部４２に挿入される部位の外径は、凹部４２の内径と略同一となるように形成されている。即ちプラグボディ５０と凹部４２との間には、僅かな隙間のみが形成されるようになる。ここで、「僅かな隙間」とは、プラグＢがコンセントＡに接続した状態において、使用者の指が入らない程度の大きさのことを言う。これにより、凹部４２とプラグボディ５０との間の隙間に使用者の指が入ってしまうことを抑制されるため、上記の栓刃５１と使用者の指とが接触した状態にて栓刃５１と刃受部４３とを接続することを抑制することができる。
【００３９】
また、プラグＢをコンセントＡに接続した状態において、ケーブル５２を引っ掛ける等によってプラグＢに力が加わりプラグＢが栓刃挿入方向Ｖに対して傾こうとしても、プラグボディ５０が凹部４２に接触することにより、プラグＢの栓刃挿入方向Ｖに対する傾きが抑制されるようになる。その結果、栓刃５１が折れ曲がることや差込口４０が破損することを抑制することができる。
【００４０】
図６（ａ）に示すように、プラグＢをコンセントＡから抜き去るときには、使用者は基部３０の抜去方向の端部を開方向に押圧する。そして突起部５３が隔壁３５と栓刃挿入方向Ｖに重なる部位がなくなるようになる。即ち保持面５３ａと隔壁３５とが当接しなくなる。そして、この状態において、プラグＢを抜去方向に引くことにより、プラグＢをコンセントＡから抜き去ることができるようになる。
【００４１】
またプラグボディ５０の外径よりも基部３０が左右方向Ｙに大きく形成されるため、プラグボディ５０の外径と基部とが左右方向に同一である場合と比較して、使用者が扉体７を容易に押圧することができる。
【００４２】
プラグＢをコンセントＡから抜き去った後には、図６（ｂ）に示すように、ばね１０（図１参照）の作用により、扉体７は下端面６ａに向かい、即ち閉状態となるように回転動作する。
【００４３】
また、プラグＢをコンセントＡから抜き去るときには、扉体７を押圧してボディ３に再度仮固定してもよい。この場合、プラグＢを抜去方向に引くときに扉体７がプラグＢに干渉しないため、プラグＢをコンセントＡから抜き去り易くなる。またこの場合には、ばね１０の作用により自動的に扉体７が閉状態とならないため、プラグＢをコンセントＡから抜き去った後に、扉体７の仮固定を解除し、扉体７を閉状態とする必要がある。
【００４４】
本実施形態のコンセントＡによれば、以下に示す効果を奏することができる。
（１）本実施形態では、扉体７の爪部３７とボディ３の係合孔２４とが係合することにより、扉体７の開状態が維持される構成、即ち扉体７がボディ３に仮固定される構成である。したがって、プラグＢをコンセントＡに接続する間に亘り使用者が扉体７を保持する必要がなく、プラグＢと扉体７との干渉を回避することができるため、プラグＢをコンセントＡに容易に接続することができる。
【００４５】
また、爪部３７と係合孔２４との係合による簡単な構成にて扉体７の開状態を維持することができるようになる。また爪部３７は基部３０に連続して形成され、係合孔２４は本体部２０と連続して形成されるため、爪部及び係合孔を扉体７及びボディ３と各別に設ける構成と比較して、コンセントＡの部品点数を削減することができる。
【００４６】
（２）本実施形態では、爪部３７の本体部３８には一対のリブ３８ｂが設けられる構成である。したがって、扉体７の仮固定の繰り返しに伴う爪部３７と係合孔２４との係合の繰り返しに起因して、爪部３７が折れる等の破損を抑制することができる。したがって、扉体７の仮固定の回数を増大しても、仮固定の性能を維持することができる。
【００４７】
（３）本実施形態では、リブ３８ｂが本体部３８の上方の半分の部位のみに接続する構成である。したがって、リブ３８ｂが本体部３８の下端部から上下方向の全体に亘り接続する構成の爪部と比較して、爪部３７の下端部の弾性変形による変位量を増大することができる。したがって、爪部３７と係合孔２４とによる係合を容易に行うことができるとともに、上記係合による爪部３７の破損を抑制することができる。
【００４８】
（４）本実施形態では、プラグＢがコンセントＡに接続された状態において、隔壁３５が保持面５３ａと当接する構成である。したがって、プラグＢが不用意にコンセントＡから抜けてしまうことを抑制することができる。
【００４９】
ところで、プラグのコンセントからの抜け止めの機構としては、栓刃及び端子板の刃受部にそれぞれ係合部を設け、プラグがコンセントに接続された状態において、各係合部が互いに係合して抜け止めを行うものが知られている。しかしながら、このような抜け止め機構では、この抜け止め機構が省略された刃受部と比較して、刃受部の弾性変形が大きくなってしまう。したがって、刃受部のばね性が低下しやすい問題がある。
【００５０】
その点、本実施形態では、扉体７に隔壁３５が設けられ、プラグボディ５０に保持面５３ａが設けられる構成であるため、栓刃５１と刃受部４３とによって抜け止め機構を構成していない。したがって、栓刃及び刃受部に抜け止め機構を設ける場合と比較して、プラグＢをコンセントＡに挿抜する回数を増大してもコンセントＡからプラグＢを抜け止めする機能を維持することができる。
【００５１】
（５）本実施形態では、基部３０は化粧カバー６よりも前方及び左右方向Ｙに突出する構成である。したがって、扉体７の突出部をプラグボディ５０または使用者の指によって引っ掛けることにより、扉体７を閉状態から容易に開方向に移動させることができる。特に基部３０の突出した部位をプラグボディ５０によって引っ掛ける場合には、プラグＢをコンセントＡに接続する一連の動作がプラグボディ５０によって行われるため、使用者は片手にて上記動作を行うことができる。
【００５２】
（６）本実施形態では、コンセントブロック２の底面４１と化粧カバー６の下端面６ａとが互いに略平行となる構成である。
ところで、防水コンセントのような差込口４０が下方に向いて開口しているコンセントでは、上述のように使用者は差込口４０を視認することが困難である。そのため、差込口４０に対するプラグＢの挿入角度を把握することが困難である。
【００５３】
その点、本実施形態では、使用者が視認可能な下端面６ａが、差込口４０が形成される底面４１と略平行であるため、下端面６ａに対してプラグＢの挿入角度を決めることにより、差込口４０に容易にプラグＢの栓刃５１を挿入することができる。
【００５４】
（７）本実施形態では、プラグＢがコンセントＡに接続された状態において、隔壁３５及び保持面５３ａのそれぞれが栓刃挿入方向Ｖに対して垂直に形成され、且つ隔壁３５と保持面５３ａとが面接触する構成である。したがって、隔壁３５がプラグＢの抜去方向の力を正面にて受けるようになるため、プラグＢのコンセントＡに対する抜け止め機能を向上させることができる。
【００５５】
（８）本実施形態では、扉体７を閉状態にするためにばね１０が設けられる構成である。この構成によれば、扉体７を開状態から閉状態に自動的に回転することができる。したがって、扉体７の閉め忘れを防止することができる。
【００５６】
一方で、扉体７が自動的に閉状態に回転するため、プラグＢをコンセントＡに挿入する際には、プラグＢと扉体７とが干渉してしまう。そのため、使用者がプラグＢをコンセントＡに接続する間に亘り扉体７を開状態に保持しなければならなかった。
【００５７】
この点、本実施形態では、扉体７の爪部３７とボディ３の係合孔２４によって扉体７をボディ３に仮固定することができるため、プラグＢをコンセントＡに挿入する際に扉体７がプラグＢと干渉することが回避される。
【００５８】
（９）本実施形態では、扉体７の基部３０は化粧カバー６よりも略全周に亘り前方または左右方向Ｙに突出する構成である。この構成によれば、使用者は扉体７をどの方向においても指またはプラグボディ５０によって引っ掛けて開方向に移動させることができる。したがって、例えば扉体が化粧カバー６よりも前方のみ突出している構成または扉体が化粧カバー６よりも左右方向のみ突出している構成と比較して、扉体７の開閉動作が行い易い。その結果、コンセントＡの使い勝手が良くなる。
【００５９】
（１０）本実施形態では、基部３０の前方の端部に湾曲凹部３３が設けられる構成である。したがって、使用者が指で扉体７を開く場合には、湾曲凹部３３に指を引っ掛けて扉体７を開けることができる。その結果、使用者の指やプラグボディ５０にて扉体７を容易に開くことができる。
【００６０】
（その他の実施形態）
本発明は、上記実施形態に限定されることなく、例えば以下の変更が可能である。また、以下の変形例は、上記実施形態についてのみ適用されるものでなく、異なる変形例同士を互いに組み合わせて実施することもできる。
【００６１】
上記実施形態では、爪部３７と係合孔２４とにより扉体７の開状態を維持する構成であったが、扉体７の開状態を維持する構成はこれに限定されることはない。例えば図７（ａ）に示すように、基部３０の下面３６に磁石６０が取り付けられ、ボディ３のカバー体２３に磁石６１が取り付けられる構成とすることもできる。この場合、図７（ｂ）に示すように、開状態とするときに磁石６０及び磁石６１の磁気吸引の作用により、扉体７はボディ３に仮固定されるようになる。
【００６２】
また、磁石６０及び磁石６１のうちのどちらか一方は、磁性体とすることもできる。また磁石６１を磁性体とした場合には、カバー体２３を磁性体にて構成することにより、コンセントＡの部品点数の削減を図ることもできる。
【００６３】
また、磁石６０が扉体７の下面３６の凹部３１に対応する位置に取り付けられたが、磁石６０の位置は、これに限定されることはない。ボディ３に取り付けられた磁石６１と時期吸引する位置にあればよい。したがって例えば、磁石６０が凹部３１を左右方向Ｙの両側に２個取り付ける構成とすることもできる。この場合、磁石６１は、磁石６０に対応した位置に２個取り付ける構成となる。
【００６４】
また、磁石６０，６１に限定されることなく、マジックテープ（登録商標）を扉体７及びボディ３にそれぞれ設けることにより、扉体７をボディ３に仮固定する構成とすることもできる。
上記実施形態では、扉体７に爪部３７が設けられ、ボディ３に係合孔２４が設けられる構成であったが、図８に示すように、扉体７に係合孔２４が設けられ、ボディ３に爪部３７が設けられる構成とすることもできる。
【００６５】
また、図９（ａ）及び図９（ｂ）に示すように、本体部２０の左右方向Ｙの側面にそれぞれ設けられた爪部３７が扉体７の左右方向Ｙの周縁に係合する構成とすることにより、扉体７に設けられた係合孔２４を省略することもできる。
【００６６】
また図９の構成において、扉体７の上記周縁に爪部３７を設け、本体部２０の上記側面に係合孔２４を設ける構成であって、爪部３７が係合孔２４に係合することにより扉体７をボディ３に仮固定する構成とすることもできる。
【００６７】
上記実施形態では、係合孔２４がボディ３に設けられる構成であったが、係合孔２４が設けられる部材はボディ３に限定されることはない。コンセント本体１Ａを構成する部材であればよい。したがって例えば、パッキン４に係合孔２４を設けることもできる。これは図８の磁石６１や図９の爪部３７や係合孔２４についても同様である。
【００６８】
上記実施形態では、基部３０と爪部３７とが単一部材として設けられたが、基部３０と爪部３７とは各別の部材として設けることもできる。この場合、爪部３７を金属材料によって構成することにより爪部３７の強度を向上することができる。
【００６９】
上記実施形態では、コンセントブロック２の底面４１と化粧カバー６の下端面６ａとが互いに平行となるように形成したが、底面４１と下端面６ａとは互いに異なる角度にて形成することもできる。
【００７０】
上記実施形態では、基部３０が化粧カバー６よりも突出して設けられたが、基部３０と化粧カバー６とは、その前方及び左右方向Ｙにおいて略同位置として設けることもできる。
【００７１】
また、化粧カバー６の一部が後方に凹む凹形状を設けることにより、基部３０と化粧カバー６とが前方及び左右方向Ｙにおいて略同位置として設けられたとしても、凹形状に対応する基部３０の部位のみは、化粧カバー６から突出する態様とすることができる。
【００７２】
上記実施形態では、付勢部材としてばね１０を用いたが、付勢部材は扉体７を閉状態となるように付勢する部材であればよいため、上記ばね１０以外の部材とすることもできる。
【００７３】
上記実施形態では、扉体７の基部３０に凹部３１を設ける構成であったが、凹部３１を省略することもできる。この場合、隔壁３５はコンセントブロック２の凹部４２に収納されるようになる。これにより、扉体７が閉状態において、隔壁３５とコンセントブロック２との干渉を回避することができるため、上記干渉に起因して基部３０と化粧カバー６の下端面６ａとの間が離間してしまうことを抑制することができる。
【００７４】
上記実施形態では、プラグボディ５０に突起部５３を設ける構成であったが、この突起部５３を省略することもできる。この場合には、隔壁３５はプラグボディ５０の背面（即ちプラグボディ５０の抜き去り方向の端面）と係合するようになる。
【００７５】
上記実施形態では、扉体７に設けられた隔壁３５がプラグＢの突起部５３に当接することにより刃受部４３が栓刃５１を保持固定する構成としたが、刃受部４３が栓刃５１を保持固定する構成はこれに限定されることはない。例えば、栓刃に貫通孔を設け、刃受部の貫通孔と対応する箇所に突起部を設けた上で、貫通孔に突起部が係合することにより抜け止め機構を構成することもできる。また、刃受部４３が栓刃５１を保持固定する構成は省略することもできる。
【００７６】
上記実施形態では、コンセントＡを屋外に設けられた防水コンセントに適用したが、コンセントＡは屋内のコンセントにも適用することができる。
【符号の説明】
【００７７】
Ａ…コンセント、Ｂ…プラグ、ＳＣ１〜ＳＣ３…ねじ部材、１Ａ…コンセント本体、１Ｂ…扉開閉機構、２…コンセントブロック、３…ボディ、４…防水パッキン（パッキン）、５…取付枠、６…化粧カバー、６ａ…下端面（接触面）、７…扉体（カバー）、８…シャフト、９…軸ボディ、９ａ…シャフト挿通孔、１０…つるまきばね、２０…本体部、２１…保持部、２２…貫通孔、２３…カバー体、２４…係合孔（開位置保持部）、３０…基部、３０ａ…表面、３１…凹部、３２…シャフト挿通部、３３…湾曲凹部、３４…底面、３５…隔壁（固定部）、３６…下面、３６ａ…下面、３７…爪部（開位置保持部）、３８…本体部、３８ａ…係合部、３８ｂ…リブ、４０…差込口、４１…底面（挿入面）、４２…凹部、４３…刃受部、５０…プラグボディ、５１…栓刃、５２…ケーブル、５３…突起部（プラグボディの一部）、５３ａ…保持面、６０…磁石、６１…磁石。
【図１】
0005460280.tif 000002
【図２】
0005460280.tif 000003
【図３】
0005460280.tif 000004
【図４】
0005460280.tif 000005
【図５】
0005460280.tif 000006
【図６】
0005460280.tif 000007
【図７】
0005460280.tif 000008
【図８】
0005460280.tif 000009
【図９】
0005460280.tif 000010